Podtech/llm-jp-corpus-v4-ja_patent huggingface dataset:
(57)【要約】【課題】  ウインドスクリーンの脱落を簡易に防止することができる騒音計を提供する。【解決手段】  ウインドスクリーン５をマイクロホン４に装着して使用する騒音計１において、マイクロホン４のプリアンプケース３にウインドスクリーン５の脱落防止チューブ６を設け、この脱落防止チューブ６を介してウインドスクリーン５をマイクロホン４に装着する。脱落防止チューブ６はシリコンゴム製である。脱落防止チューブ６の外側表面に滑り止め用の斜め線を交差させた凸部６ａを形成した。【選択図】        図１
2010074512.tif 000002
【特許請求の範囲】
【請求項１】
ウインドスクリーンをマイクロホンに装着して使用する騒音計において、マイクロホンのプリアンプケースにウインドスクリーンの脱落防止用部材を設け、この脱落防止用部材を介してウインドスクリーンをマイクロホンに装着することを特徴とする騒音計。
【請求項２】
請求項１記載の騒音計において、前記脱落防止用部材がシリコンゴム製の筒状体であることを特徴とする騒音計。
【請求項３】
請求項１又は２記載の騒音計において、前記脱落防止用部材の外側表面に滑り止め用の凸部が形成されていることを特徴とする騒音計。
【発明の詳細な説明】
【技術分野】
【０００１】
本発明は、ウインドスクリーンをマイクロホンに装着して使用する騒音計に関する。
【背景技術】
【０００２】
屋外で騒音を測定する場合、風切音を防ぐウインドスクリーンをマイクロホンに取り付けて使用する。また、屋内で騒音を測定する場合には、ウインドスクリーンは不要となるため、ウインドスクリーンは着脱可能に取り付けられている。また、騒音測定の現場では、移動して複数の場所で騒音を測定しなければならない。更に、騒音の測定には、測定機材も多く移動に非常に手間がかかる。そこで、ポケットに入れて持ち運び可能な小型の騒音計が望まれている。
【発明の開示】
【発明が解決しようとする課題】
【０００３】
しかし、マイクロホンにウインドスクリーンを取り付けた状態でポケットから騒音計を出し入れすると、ウインドスクリーンが衣服に引っ掛かり、脱落し紛失する場合がある。また、接着等でウインドスクリーンをマイクロホンに固定してしまうと、取り外せなくなってしまう。
【０００４】
本発明は、従来の技術が有するこのような問題点に鑑みてなされたものであり、その目的とするところは、ウインドスクリーンの脱落を簡易に防止することができる騒音計を提供しようとするものである。
【課題を解決するための手段】
【０００５】
上記課題を解決すべく請求項１に係る発明は、ウインドスクリーンをマイクロホンに装着して使用する騒音計において、マイクロホンのプリアンプケースにウインドスクリーンの脱落防止用部材を設け、この脱落防止用部材を介してウインドスクリーンをマイクロホンに装着するものである。
【０００６】
請求項２に係る発明は、請求項１記載の騒音計において、前記脱落防止用部材がシリコンゴム製の筒状体である。
【０００７】
請求項３に係る発明は、請求項１又は２記載の騒音計において、前記脱落防止用部材の外側表面に滑り止め用の凸部を形成した。
【発明の効果】
【０００８】
請求項１に係る発明によれば、マイクロホンからのウインドスクリーンの脱落を簡易に防止することができる。
請求項２に係る発明によれば、シリコンゴム製の筒状体にプリアンプケースを嵌挿するだけで容易に装着することができ、マイクロホンからのウインドスクリーンの脱落を防止することができる。
【０００９】
請求項３に係る発明によれば、マイクロホンからのウインドスクリーンの脱落を確実に防止することができる。
【発明を実施するための最良の形態】
【００１０】
以下に本発明の実施の形態を添付図面に基づいて説明する。ここで、図１は本発明に係る騒音計の分解斜視図、図２は同じく斜視図、図３は外側表面に滑り止め用の凸部を設けた各種脱落防止チューブの斜視図である。
【００１１】
本発明に係る騒音計１は、図１に示すように、騒音計本体２、騒音計本体２から突出したプリアンプケース３、プリアンプケース３の先端に設けたマイクロホン４、プリアンプケース３及びマイクロホン４に被せる着脱自在のウインドスクリーン５からなる（例えば、全長約１２ｃｍ）。また、プリアンプケース３には、脱落防止チューブ６が取り付けられている。
【００１２】
脱落防止チューブ６は、シリコンゴム製で外側表面には滑り止め用の凸部６ａが形成されている。脱落防止チューブ６の材質としては、シリコンゴム以外のゴムや樹脂などであっても、ウインドスクリーン５の脱落防止機能を果たせば、使用することができる。
【００１３】
騒音計本体２には、測定データや設定条件などを表示する液晶画面２ａと、電源入りや測定開始／測定停止などの操作ボタン２ｂ，２ｃが配置されている。騒音計１は騒音計本体２に収納される乾電池で動作する。例えば、全長約１２ｃｍの騒音計１は小型なので、胸ポケットなどに入れて持ち運びすることができる。
【００１４】
以上のように構成された本発明に係る騒音計１の作用について説明する。先ず、プリアンプケース３に脱落防止チューブ６を装着するには、脱落防止チューブ６にプリアンプケース３を嵌挿する。すると、脱落防止チューブ６は、図２に示すように、プリアンプケース３に装着される。
【００１５】
次いで、ウインドスクリーン５をプリアンプケース３及びマイクロホン４に被せる。すると、多少の力がウインドスクリーン５に加わっても脱落防止チューブ６によりウインドスクリーン５は容易に脱落することなく装着される。例えば、ウインドスクリーン５を装着した状態でポケットから騒音計１を出し入れすることで、ウインドスクリーン５が衣服に引っ掛かっても、ウインドスクリーン５は脱落することがない。
【００１６】
更に、脱落防止チューブ６の外側表面に滑り止め用の凸部６ａを設けておくと、より一層脱落し難くなる。滑り止め用の凸部としては、図３（ａ）に示す斜め線を交差させた凸部６ａの他に、図３（ｂ）に示す３つのリングからなる凸部６ｂ、図３（ｃ）に示す複数のドットからなる凸部６ｃなどが適用される。なお、斜め線の配置の仕方、リングの数や配置の仕方、ドットの数や配置の仕方は、図３に示すものに限られず、ウインドスクリーン５が脱落し難いものであれば何でもよい。
【産業上の利用可能性】
【００１７】
本発明によれば、マイクロホンからのウインドスクリーンの脱落を確実に防止することができる騒音計を提供することができる。
【図面の簡単な説明】
【００１８】
【図１】本発明に係る騒音計の分解斜視図
【図２】本発明に係る騒音計の斜視図
【図３】外側表面に滑り止め用の凸部を設けた各種脱落防止チューブの斜視図で、（ａ）は凸部が斜め線を交差させたもの、（ｂ）は凸部が３つのリングからなるもの、（ｃ）は凸部が複数のドットからなるもの
【符号の説明】
【００１９】
１…騒音計、２…騒音計本体、３…プリアンプケース、４…マイクロホン、５…ウインドスクリーン、６…脱落防止チューブ（脱落防止用部材）、６ａ，６ｂ，６ｃ…凸部。
【図１】
2010074512.tif 000003
【図２】
2010074512.tif 000004
【図３】
2010074512.tif 000005
(57)【要約】【課題】本発明品は釣り人の釣果向上と疲労緩和を目的。【解決手段】本発明品を、マジックテープで、腕に固定する事により、釣竿と腕を一体化することで、魚信をはっきり感じ取り、腕の疲れを和らげ疲労緩和に役立つと考える。【選択図】図１
2010142208.tif 000002
【特許請求の範囲】
【請求項１】
（１）釣り人が一日中釣竿を片手で釣りに興じ、翌日腕が上がらぬ事があり、釣果を上げ腕の負担を緩和するための発明。
【発明の詳細な説明】
【発明の詳細な説明】
【技術分野】
【０００１】釣り人の釣果向上と非力な人に役立てる目的。
【従末の技術】
【０００２】いままでは釣りに行けば、疲れるのは当たり前と思われ、あまり考えていなかった。
【発明が解決しようとする課題】
【０００３】釣りにおいて、上手な釣り人は舞うがごとく、魚を釣り上げる、魚に対して釣竿テクニックで餌をアピールするため、片腕で竿、片手でリールを巻き、特に竿を持つ腕に負担が架かる、その時の釣竿の安定と疲労緩和になると思う。
【課題を解決するための手段】
【０００４】私は極端な右利きなため、左手で釣竿、右手でリール、左腕の下に本発明品をマジックテープのベルトで固定し、腕と竿が一体となり、魚信もはっきり伝わり疲れにくく、一日楽しく釣りに興じられる、本発明品は釣竿のブレを防ぐ目的と、非力な釣り人のサポートに役立つ。
【発明を実施するための最良の形態】
【０００５】本発明品は、プラスチック製か塩化ビニールで作製されており、縦Ｓサイズ５センチ、Ｍサイズ１０センチ、Ｌサイズ１５センチ、幅５センチ程度で半円形のＵ字溝で釣竿の竿尻が入り、少し遊びがある物で、舟形底にはゴム系のすべりにくい物を貼り、船底の横にＳには２．５センチ、Ｍ，Ｌには４〜５センチのマジックテープで腕に固定出来るように作製。
【実施例】
【０００６】本発明品が腕にしっかり装着していれば、釣竿と腕が一体となり、魚信もはっきり伝わり、スムーズな釣りが楽しめ疲れもあまり感じられない。
【発明の効果】
【０００７】釣り人は釣りに熱中するあまり、腕に負担が架かっても、翌日まで気がつかず、後で頑張り過ぎた事を後悔する、本発明品により釣果は伸び、疲れも和らげられると考える。
【図面の簡単な説明】
【図１】本発明品の斜視図である。
【図２】本発明品の一部を切り欠いた側面図である。
【符号の説明】
１．    プラスチック製か塩化ビニール製
２．    マジックテープ  ３０〜４０センチ
３．    縦径  Ｓサイズ・５センチ、Ｍ・１０センチ、Ｌ・１５センチ
４．    幅径  ５センチ
５．    高さ  ３センチ
【図１】
2010142208.tif 000003
【図２】
2010142208.tif 000004
(57)【要約】【課題】  犬の糞回収具は、構造が複雑で形状の大きな物が多く、持ち運びの際に不便であり、見目もよくない。【解決手段】  棒状の柄の先から上方向に軸を設け、その軸を基点に３６０度回転する連結部を有し、その連結部の両側に犬の糞回収用のスコップと袋を有することにより二種類の使用方法が選択可能であることを特徴とする犬の糞回収具。【選択図】図５
2010142217.tif 000002
【特許請求の範囲】
【請求項１】
３６０度に回転する連結部の両端にスコップと袋を固定することにより二種類の使用方法が選択可能であることを特徴とする犬の糞回収具。
【請求項２】
棒状の柄の先から上方向に軸を設け、その軸を基点に３６０度回転する連結部を有し、その連結部の両端に犬の糞回収用のスコップと袋を有することを特徴とした請求項１に記載した犬の糞回収具。
【請求項３】
３６０度に回転する面に対して直角方向に回転可能なスコップと袋を設けたことを特徴とした請求項１又は２に記載した犬の糞回収具。
【発明の詳細な説明】
【技術分野】
【０００１】  本発明は、犬を散歩させている時に犬が排出する糞を簡単に回収し持ち帰る為の犬の糞回収具に関するものである。
【背景技術】
【０００２】  犬の散歩では、犬が糞をした場合に主にスコップを使用してビニールに入れて持ち帰る手法がとられている。【０００３】  しかし、犬の糞を取るのにはスコップやビニールといった道具が必要なため面倒である、それを持ち歩くにも抵抗がある。更に、地面についてしまった糞を取り去るのは困難である。【０００４】  そこで、犬の糞が地面につく前に、ビニール等の合成樹脂製袋で受けて簡単に処理できるようにした犬の糞回収具が多数提案されている。例えば、特開２００３−３２５０７１号や特開２００５−２２９９８９号に記載されている。
【特許文献１】特開２００３−３２５０７１号公報
【特許文献２】特開２００５−２２９９８９号公報
【発明の開示】
【発明が解決しようとする課題】
【０００５】  しかし、上述した犬の糞回収具は、構造が複雑で形状の大きな物が多く、持ち運びの際に不便であり、見目もよくない。【０００６】  上述の事情を鑑み、本発明は、構造が簡単で携帯性に優れており、更に携帯時のデザイン性や見目に配慮した犬の糞回収具を提供することを目的とする。
【課題を解決するための手段】
【０００７】  本発明による犬の糞回収具は、３６０度に回転する連結部の両端にスコップと袋を固定することにより二種類の使用方法が選択可能である。【０００８】  棒状の柄の先から上方向に軸を設け、その軸を基点に３６０度回転する連結部を有し、その連結部の両端に犬の糞回収用のスコップと糞を受け取る袋を有する。【０００９】  スコップと袋は３６０度に回転する面に対して直角方向に可動する。
【発明の効果】
【００１０】  本発明は、棒状の柄の先から上方向に軸を設け、その軸を基点に３６０度回転する連結部を有し、その連結部の両端に犬の糞回収用のスコップと糞を受け取る袋を有する。よって、この連結部を回転させ、用途に応じてスコップ又は袋を前面に固定することでスコップまたは糞受け袋の二種類として使用可能となる。【００１１】  糞を受け取る袋として使用した場合、犬が便意を催した際に犬の下部に配置し、便を受け取ることができる。袋は不透明で、スコップで閉じて蓋をすることにより密封することが可能である。外側から内容物が見えないために従来の犬用糞処理機と違い持ちやすい印象を与えることができる。
【発明を実施するための最良の形態】
【００１２】  以下、図１〜図５に基づいて本発明の実施例を説明する。
【実施例】
【００１３】  本発明の実施例の糞回収具は、図１に示すように、棒６の先端の軸５の上に３６０度回転可能な連結部４を設ける。連結部４の一端にはスコップ１を設け、連結部４の他端には糞受け袋３を有する糞受け２を設ける。スコップ１と糞受け２を設けた糞受け袋３は、軸５を中心として連結部４が３６０度回転する面に対して直角方向に回転可能である。
軸５を図２のように回転させ、スコップ１または、糞受け２のどちらかを前面に固定することにより、二種類の使用方法が選択可能となる。【００１４】  スコップ１を前面に固定した場合（図１の状態）、本発明の実施例の糞回収具をスコップとして使用することができる。地面に落ちてしまった糞をすくいあげ、別途持参した袋に入れる事も可能である。または、連結部４が３６０度回転する面に対して直角方向に糞受け袋３を有する糞受け２を、連結部４を中心に回転させ閉じることにより糞を密閉し、そのまま持ち帰ることもできる。【００１５】  糞受け２を前面に固定した場合（図３の状態）、便意を催した犬の下部に置き糞受け袋３で犬の糞を受け取ることが可能である。地面に糞が接地する前に糞をすくいとることにより、地面を汚すことなく糞の回収が可能である。糞を受けた後、図３に示すようにスコップ１を蓋として閉じることにより、糞を密閉し、持ち帰ることが可能である。【００１６】  スコップ１と糞受け２が閉じた場合（図４の状態）、糞受け袋３はナイロン等の水洗い可能な素材で、色がついているので外部から糞が見えないようになっている。
【図面の簡単な説明】
【００１７】
【図１】本発明の糞回収具の実施例を示す側面図
【図２】本発明の糞回収具の先端部回転の構造を示した側面図
【図３】本発明の糞回収具の先端部開閉の構造を示した側面図
【図４】本発明の糞回収具の先端部が閉じた状態を示した側面図
【図５】本発明の糞回収具の全体構造をあらわした斜視図
【符号の説明】
【００１８】１    スコップ
２    糞受け
３    袋
４    連結部
５    軸
６    柄
【図１】
2010142217.tif 000003
【図２】
2010142217.tif 000004
【図３】
2010142217.tif 000005
【図４】
2010142217.tif 000006
【図５】
2010142217.tif 000007
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
３６０度に回転する連結部の両端にスコップと袋を固定することにより二種類の使用方法が選択可能である犬の糞回収具にあって、棒状の柄の先から上方向に軸を設け、その軸を基点に３６０度回転する連結部を有し、その連結部の両端に犬の糞回収用のスコップと袋を有することを特徴とした犬の糞回収具。
【請求項２】
３６０度に回転する面に対して直角方向に回転可能なスコップと袋を設けたことを特徴とした請求項１に記載の犬の糞回収具。
【手続補正２】
【補正対象書類名】明細書
【補正対象項目名】０００７
【補正方法】変更
【補正の内容】
【０００７】本発明は、３６０度に回転する連結部の両端にスコップと袋を固定することにより二種類の使用方法が選択可能である犬の糞回収具であって、棒状の柄の先から上方向に軸を設け、その軸を基点に３６０度回転する連結部を有し、その連結部の両端に犬の糞回収用のスコップと糞を受け取る袋を有する。
【手続補正３】
【補正対象書類名】明細書
【補正対象項目名】０００８
【補正方法】削除
【補正の内容】
(57)【要約】【課題】原材料にじゃがいも、麹、焼塩を使用し、種水（じゃがいもを茹でた後の残り汁）を利用する製造方法に関するものである。【解決手段】下拵えとして、じゃがいもは表面の泥をたわしでよく水洗いし、熱湯を満遍なくかけておき、麹はよくほぐし、塩と混ぜ合わせておく（塩切り麹）。そして、作り方は、鍋にじゃがいもが浸るくらいの水を入れ、竹串が通るくらいまで茹でる。茹でたじゃがいもをザルにあげ、熱いうちに皮を剥く。剥いた皮は、ミキサーに掛け細かく刻む（餅状になる）剥いたじゃがいもは細かく潰し、細かくした皮と混ぜ合わせる。この混ぜ合わせたものの温度が約４０度位になったら、下拵えしておいた麹と種水を加える。このとき、種水はじゃがいもが粘土状になるくらいに調整しながら加え、よく混ぜ合わせる。表面をならし、ラップをピッタリ貼り付け、中蓋をし、２０％くらいの重石をし、４ヶ月から６ヶ月ねかせる。【特許請求の範囲】
【請求項１】
大豆を原料としない、じゃがいもを主原料とした味噌で、原材料にじゃがいも、麹、焼塩を使用し、種水（じゃがいもを茹でた後の残り汁）を利用する仕込み工程および製造工程
【発明の詳細な説明】
【技術分野】
【０００１】本発明は原材料にじゃがいも、麹、焼塩を使用し、種水（じゃがいもを茹でた後の残り汁）を利用する製造方法に関するものである。
【背景技術】
【０００２】味噌は大豆を主原料に製造されるものである。
【発明が解決しようとする課題】
【０００３】しかし、本発明では、原材料にじゃがいも、麹、焼塩を使用し、種水（じゃがいもを茹でた後の残り汁）を利用する。下拵えとして、じゃがいもは表面の泥をたわしでよく水洗いし、熱湯を満遍なくかけておき、麹はよくほぐし、塩と混ぜ合わせておく（塩切り麹）。そして、作り方は、鍋にじゃがいもが浸るくらいの水を入れ、竹串が通るくらいまで茹でる。茹でたじゃがいもをザルにあげ、熱いうちに皮を剥く。剥いた皮は、ミキサーに掛け細かく刻む（餅状になる）剥いたじゃがいもは細かく潰し、細かくした皮と混ぜ合わせる。この混ぜ合わせたものの温度が約４０度位になったら、下拵えしておいた麹と種水を加える。このとき、種水はじゃがいもが粘土状になるくらいに調整しながら加え、よく混ぜ合わせる。表面をならし、ラップをピッタリ貼り付け、中蓋をし、２０％くらいの重石をし、４ヶ月から６ヶ月ねかせる。
【発明の効果】
【０００４】以上の製造方法で大豆ではなく、じゃがいもを主原料とした味噌ができるわけである。
(57)【要約】      （修正有）【課題】従来はアルコール及びアルコール濃度の高い酒類（ウオッカ、ブランディー、ウイスキー、テキーラ、ジン、黒糖焼酎などの蒸留酒）は液体であり、その持ち運び方が不便であった。アルコールの持ち運び方法又はその飲用の仕方、その使い方を革命的に変える方法の提供。【解決手段】カプセル化アルコール及びカプセル化蒸留酒である。ただし、カプセル体の材質として高濃度アルコール耐性、及び飲用に関しては胃液（胃酸）によって溶解消化可能でなければならない。【選択図】なし【特許請求の範囲】
【請求項１】
アルコール度の高い、ウオッカ、ブランデイー、ウイスキー、テキーラ、ジン、黒糖焼酎など、又は、これらの濃縮エキスを小さなカプセルに詰める。
【請求項２】
強いアルコールに強く、胃酸に弱いカプセルに詰めた物。、、
【発明の詳細な説明】
【技術分野】
【０００１】本発明は、従来液体であったアルコールをカプセルに詰め固形とし、ポケッタブルにしようとした物である。
【背景技術】
【０００２】従来アルコールは瓶又はケースに入れていた。
これは持ち運び方に不便である。
【発明の開示】
【発明が解決しようとする課題】
【０００３】｛０００２｝に述べた不便を解消するのが本発明の発想である。
【課題を解決する為の手段】
【０００４】問題はカプセルの材質である。強いアルコールに強く胃酸に弱いカプセルに何が適しているか、小生にはノウハウが無い。しかし、これは化学技術者によって簡単に解決されるであろう。
【０００５】請求項  １  の発明はアルコールの持ち運び又は使い方を革命的に変えるものである。
【発明の効果】
【０００６】アルコールの持ち運び方が便利になる。
【発明を実施するための最良の形態】
【０００７】｛０００１｝に述べたとおりである。【０００８】図１，２に記すように、ありふれたカプセルである。【０００９】  カプセルアルコールのカプセルの材質を何にするかは小生には分からない。生化学技術者の援助に頼るしかない。
【産業上の利用可能性】
【００１０】大いにあり。
【図面の簡単な説明】
【図１】は断面図であり、直径７ｍｍである。
【図２】は側面図であり、長径は１５ｍｍである。
【符号の説明】
略
【図１】
2010142216.tif 000002
【図２】
2010142216.tif 000003
(57)【要約】      （修正有）【課題】たばこを少ししか吸わずそのまま捨てるのはもったいないと思う人、又、経済的に倹約しようと思う人、１本のたばこを２回に分けて吸うことが出来れば、半数のたばこですみ、経済的であり又、健康にもつながる、又、表面にビーズや色、柄をつけて見た目に美しくオシャレにもなる、又、エコにもなる。【解決手段】たばこの火を瞬時に消し、長さをそのままに保つこと。そのためにはケースの内部を金属等の火、熱に強い素材とし、火の当る部分をややせまくする。【選択図】図１
2010142219.tif 000002
【特許請求の範囲】
【請求項１】
たばこの火をつけてもすぐ消さなければならない時とか、又、いつも２〜３服しか吸わない人が二度吸えるようにするため、たばこの火を瞬時に消し、長さもそのまま保持するようにするためケースを密閉し火のついている部分をややせまくする。
【請求項２】
ケースはプラスチックや金属や木製等でもよい、プラスチック木製の場合は内部又は火のついている部分を金属等もえなく熱に強い材質とする。
【請求項３】
ケースの長さ、太さはたばこの種類に合せる。
【発明の詳細な説明】
【技術分野】
【０００１】本発明は一本のたばこを二度すえるためのケース
【背景技術】
【０００２】
【特許文献１】ごく一般の印鑑ケース
【発明の開示】
【発明が解決しようとする課題】
【０００１】火をすぐに消し熱に強くする
【課題を解決するための手段】
【０００１】火のついたたばこを瞬時にけすためすきまを少なくし密閉すること、それには火の部分をややせまくする。
【発明の効果】
【０００１】密閉することにより酸素はなくたばこの火はスグ消える。そのため長さがそのまま保持され二度吸うことが可能又、イヤな臭いも少ない。
【発明を実施するための最良の形態】
【０００１】印鑑ケースを製造している会社で作ってもらうこと。【０００２】外部は金属又はプラスチック・プラスチックの場合は内部を金属等火に強いものにする【０００３】外部にビーズをつけたり、色、柄をつけるとオシャレになる。
【実施例】
【０００１】たばこに合せてたばこを入れる長さ、太さを変える。
【産業上の利用可能性】
【０００１】産業上の利用の可能性は特にないが生産方法は印鑑ケース製造会社で生産してもらう。
【図面の簡単な説明】
【０００１】
【図１】（イ）はケースの上のフタの正面図、四角は丸みをつける  （ロ）はケースの下のフタの正面図、四角は丸みをつける
【図２】（ハ）はたばこの火のついている部分の断面図  （ニ）はたばこの火のついていない部分の断面図
【符号の説明】
（イ）フタの上部の正面図
（ロ）フタの下部の正面図
（ハ）火のついている方の（イ）と（ロ）を合せた断面図
（ニ）火のついていない方を合せた断面図
（ホ）フタをしめる時の凹部
（ヘ）フタをしめる時の凸部
（ト）フタの開く所中に棒がある
（チ）フタの開く所中に棒がある
（リ）首にかける時のリング
【図１】
2010142219.tif 000003
【図２】
2010142219.tif 000004
(57)【要約】【課題】  従来、喫煙者が“吸殻”として吸わずに捨てていたたばこ葉の約３０％部分を空洞化して、日本国内及び全世界の使用たばこ葉の無駄を三割削減し、ひいては省エネ・省資源・地球環境改善にもつながる、ムダ無し紙巻たばこを提供する。【解決手段】  喫煙者が“吸殻”として吸わずに捨てていたたばこ葉の約３０％部分には、たばこ葉を使わずに、空洞等構成部分（６）に改善する。  その片側には、従来比約７０％に相当するたばこ葉（１）を使用したたばこ葉詰込部分（３）を設け、反対側には、フィルター又は吸い口（８）を設けた、ムダ無し紙巻たばこを特徴とする。【選択図】図２
2010142212.tif 000002
【特許請求の範囲】
【請求項１】
喫煙者が吸わずに捨てている、フィルター又は吸い口（９）近辺のたばこ葉約３０％部分には、たばこ葉を使用せずに空洞等の構成部分（７）とした、ムダ無し紙巻たばこ。
【請求項２】
喫煙者が吸わずに捨てている、フィルター又は吸い口（９）近辺のたばこ葉約３０％部分には、たばこ葉を使用せずに、たばこ葉より安価な物質による空洞等の構成部分（７）を使用した、ムダ無し紙巻たばこ。
【発明の詳細な説明】
【発明の詳細な説明】
【技術分野】
【０００１】  この発明は、喫煙者のほぼ全員が、吸わずに“吸殻”として捨てていたたばこ葉の約３０％部分に、たばこ葉を使用せず、空洞化とした、ムダ無し紙巻たばこに関するものである。
【背景技術】
【０００２】  従来の紙巻たばこは、喫煙者が吸わずに“吸殻”として捨てていた約３０％部分にも、等しくたばこ葉を使用していた為、たばこ葉とその生産・製造過程での莫大な損失・無駄を発生させていた。  並びに、地球環境悪化の一因をも併せ持っていた。
【発明が解決しようとする課題】
【０００３】  これは、次のような欠点があった。
従来の紙巻たばこに使用されているたばこ葉中の約３０％は、喫煙者は吸わずに“吸殻”としてフィルター等と一緒に捨てている。
このことは、たばこメーカー並びに喫煙者ともども、莫大な損失・無駄を発生させていた。全世界的に見れば尚更である。
本発明は、以上の様な損失・無駄の削除と、省エネ・省資源・地球環境改善の為になされたものである。
【課題を解決するための手段】
【０００４】  喫煙者が吸わずに捨てていたたばこ葉中の約３０％部分には、たばこ葉を使わずに、空洞等構成部分（７）とする。
その片側には、従来比約７０％に相当するたばこ葉（１）を使用したたばこ葉詰込部分（３）を設け、反対側にはフィルター又は吸い口（９）を設ける。
本発明は、以上のような構成よりなる、ムダ無し紙巻たばこである。
【発明を実施するための最良の形態】
【０００５】  以下、本発明の実施の形態について説明する。
空洞等構成部分（７）の周囲紙（６）と、フィルター又は吸い口（９）の周囲紙（８）は同一とし、たばこ葉との密着接合部は菊花状に曲げ加工（５）する。
菊花状曲げ加工部（５）の反対側には、空洞等構成部分（７）を経て、従来品と同等のフィルター又は吸い口（９）を設ける。
使用するたばこ葉（１）は従来比約７０％相当とし、残り約３０％相当部分は空洞等構成部分（７）として、巻紙（２）と同一紙の糊しろ部分（４）にて、たばこ葉詰込部分（３）と密着糊付け接合する。
本発明は、以上のような構造で、喫煙者は従来と変わることなくたばこ葉に火を点けて、喫煙することが可能である。
【発明の効果】
【０００６】  喫煙者が“吸殻”として捨てていたたばこ葉部分を空洞化した事により、生産・製造過程でのたばこ葉が従来比で約３０％削減可能となった。
喫煙者は従来通りの喫煙方法で、かつ“吸殻”としての廃棄たばこ葉の損失は皆無である。
日本国内及び全世界における、年間たばこ葉のムダ削減量が従来比約３０％減という、膨大な量を実現することも可能である。
併せて、地球環境的見地からも、吸殻としての廃棄ゴミが半減し、たばこ葉生産過程・製造過程での無駄なエネルギー消費量も、約３０％程減少可能といえる。
【図面の簡単な説明】
【図１】本発明の分解斜視図である。
【図２】本発明の斜視図である。
【符号の説明】
１  たばこ葉
２  巻紙
３  たばこ葉詰込部分
４  糊しろ部分
５  菊花状曲げ加工部
６  空洞等構成部分の周囲紙
７  空洞等構成部分
８  フィルター周囲紙
９  フィルター又は吸い口
【図１】
2010142212.tif 000003
【図２】
2010142212.tif 000004
(57)【要約】      （修正有）【課題】イグニッションコイルの２次側高圧電流を、ディストリビューターにより、駆動モーターのステーターコイルに配電し、駆動モーターを回転させる。駆動モーター（シンクロナスモーター）を回転させる高圧電流はイグニッションコイルの１次と２次コイルの巻数の比を変えることで、小型、中型、大型の馬力に合った電気システムを組むことを提供する。【解決手段】イグニッションコイルの２次側高圧電流をディストリビューターの電子制御により駆動モーターを回転させることで、油や、外部からの充電を必要とせず、エンジンを搭載しないことから軽量化、騒音、振動、ＣＯ２対策車を特徴とする。【選択図】図１
2010142100.tif 000002
【特許請求の範囲】
【請求項１】
１２ボルトのバッテリー電気で走行させる自動車の電気システム
【発明の詳細な説明】
【技術の分野】
【０００１】１２Ｖのバッテリー電気で、イグニッションコイルの２次側高圧電流を、駆動モーターに流して回転させ走行する電気システム
【背景の技術】
【０００２】従来は、イグニッションコイルの２次側の高圧電流を、ディストリビューターで各プラグに配電点火しエンジンを回転させる自動車と、エンジンとモーターによるハイブリット車がある。又、バッテリーを外部電気により充電する自動車が開発されている。
【発明の開示】
【発明が解決しようとする課題】
【０００３】エンジン駆動は油を使用、電気自動車は走行距離によりバッテリーを充電しなければならない。
本発明は従来のバッテリーの１２Ｖのみで、自力充電しながら走れる電気システムである。
【課題を解決するための手段】
【０００４】イグニッションコイルの２次側高圧電流をディストリビューターで電子制御し、駆動モーター（シンクロナスモーター）の各ステーターコイルに高圧電流を流して回転させる。
高圧電流の選定は、イグニッションコイルの２次高圧電流をコイルの１次と２次のコイルの巻数の比を変えることで、小型、中型、大型の馬力に合った電気システムを組むことが出来る。
【発明の効果】
【０００５】エンジンを搭載しないので車自体、軽量化出来る。
資源の確保と、騒音、振動、ＣＯ２対策車である。
【発明を実施するための最良の形態】
【０００６】本発明を実施するための最良の形態について説明する。
イグニッションコイルの２次側の高圧電流を駆動モーターのステーターにディストリビューターにより配電する。
ディストリビューターの回転は誘導モーターで回し、駆動モーターと１：１で変速回転させる。
１２Ｖのバッテリーは、従来のスターターモーターの回転によるジェネレーター、レギュレーター、オルタネーターで充電する。
駆動モーターのローターは鉄などの強磁性体のコアのみで、ステーターは、ローターよりも２極多い磁極をもち、８極のステーターと６極のコアの組み合せにより、ディストリビューターの電子制御によって各相に流れる電流を切替えることでつくられる回転磁界に同期して回る。
トルク回転率は９０％以上と高く、モーターサイズも少なくて済み、軽量、高速で、トルク大で、可変速運転が出来るシンクロナスモーターを利用する。
本発明は、以上のような構造である。
【図面の簡単な説明】
【０００７】
【図１】本発明の駆動モーター接続図である
【図２】本発明系統図である
【図１】
2010142100.tif 000003
【図２】
2010142100.tif 000004
(57)【要約】【課題】高濃度の硫化水素を確実に除去してシアン化水素を高い精度で検出することができるフィルタを提供すること。【解決手段】ガス透過性の基材に酢酸鉛と硝酸鉛とを担持させて構成されている。【選択図】  なし【特許請求の範囲】
【請求項１】
ガス透過性の基材に酢酸鉛と硝酸鉛を担持させて構成されたガス検出器用硫化水素除去フィルタ。
【請求項２】
前記硝酸鉛が前記酢酸鉛（II）三水和物（（ＣＨ３ＣＯＯ）2Ｐｂ３Ｈ2Ｏ）に対してモル比で0.75〜1.0の割合で添加されている請求項1に記載のガス検出器用硫化水素除去フィルタ。
【発明の詳細な説明】
【技術分野】
【０００１】
本発明は、ガス検出器のガス口に配置して硫化水素を除去するフィルタに関する。
【背景技術】
【０００２】
シアン化合物はメッキ工場などで広く使用されている物質で、非常に強い毒性のために水質環境基準や排水基準などの規制値が定められ，排水，河川水，下水道水，浄水場取水口などで常時監視されているが、高濃度の硫化水素が共存する現場などでは測定結果に影響を与えるため、通気性基材に酢酸鉛（II）三水和物（（ＣＨ３ＣＯＯ）2Ｐｂ３Ｈ2Ｏ）を含浸させて構成されフィルタがガス検出器のガス口に配置されいる。
【発明の開示】
【発明が解決しようとする課題】
【０００３】
しかしながら硫化水素の濃度が高い場合には長時間、例えば8時間程度に亘って十分に硫化水素を除去することができず、シアン化水素の検出誤差が生じるという不都合がある。
本発明はこのような事情に鑑みてなされたものであってその目的とするところは高濃度の硫化水素を確実に除去してシアン化水素を高い精度で検出し、かつ代替えの基準ガスを用いて校正することができるフィルタを提供することである。
【課題を解決するための手段】
【０００４】
このような課題を達成するために本発明においては、ガス透過性の基材に酢酸鉛と硝酸鉛を担持させるようにした。
【発明の効果】
【０００５】
基材に含まれている硝酸鉛が、硫化水素吸収剤である酢酸鉛の活性を維持させるように作用するため、酢酸鉛が単独で存在する場合よりも高濃度の硫化水素が通過するのを長時間防止できる。そればかりでなく硝酸鉛はホスフィン（ＰＨ3）に対する吸着性が低いため、ホスフィン（ＰＨ3）を使用して校正することが可能となる。
【発明を実施するための最良の形態】
【０００６】
そこで以下に本発明の詳細を実施例に基づいて説明する。
フィルタは、耐酸性に優れた通気性基材、たとえばガラス繊維製ろ紙(アドバンテック社製  厚さ7.4ｍｍ)に酢酸鉛（II）三水和物（（ＣＨ３ＣＯＯ）2Ｐｂ３Ｈ2Ｏ）及び硝酸鉛（Ｐｂ（ＮＯ3）2）を担持させて構成されている。
【０００７】
すなわち、0.79ｍｏｌ/ｌの酢酸鉛及び0.20ｍｏｌ/ｌの硝酸鉛を含む水溶液に通気性基材を浸漬して各繊維間に浸透するに必要な時間、例えば3分間、浸漬し、通気性基材を溶液から引き上げて室温よりも若干高い温度、例えば40℃で自然乾燥させる。そしてガス検出器のガス取り入れ口のサイズに裁断してフィルタに構成されている。
【０００８】
このようにして構成されたフィルタは、酢酸鉛（II）三水和物（（ＣＨ３ＣＯＯ）2Ｐｂ３Ｈ2Ｏ）だけではなく、硝酸鉛（Ｐｂ（ＮＯ3）2）を含むため、硫化水素の吸着量を向上させようとして酢酸鉛（II）三水和物だけを単独に増量した場合に比較してシアン化水素の検出感度の低下を防止できる。
【０００９】
すなわち、酢酸鉛（II）三水和物だけをその含浸量を変えてフィルタを構成し、このフィルタを用いて一定濃度のシアン化水素を検出すると、図1の●で示したように酢酸鉛の量が増加すると検出感度が徐々に低下する。
【００１０】
一方、本発明のように酢酸鉛（II）三水和物に硝酸鉛を規定量だけ添加すると、図1の▲で示したように酢酸鉛（II）三水和物に対する硝酸鉛の量が1/4程度までは感度が若干低下するものの、90％以上を維持できるため十分に実用に供することができる。
【００１１】
すなわち0.79mol/lの酢酸鉛（II）三水和物の溶液に硝酸鉛の濃度を変えた溶液を用意してそれぞれの溶液の通気性基材を浸漬し、上述と同様にフィルタを構成して硫化水素に対する感度を測定したところ図2のような結果を得た。
これにより、フィルタが存在しない状態でのシアン化水素の検出感度の85％程度の感度を得るには硝酸鉛を酢酸鉛（II）三水和物に対して0.75〜1.0の割合で添加することは、シアン化水素の検出感度の低下を可及的に抑えて酢酸鉛（II）三水和物の担持量を増加させてフィルタの寿命を延長することができる。
【００１２】
一方、所定濃度（500ppm）の硫化水素を流してシアン化水素換算出力が0.5ppmの出力が出るまでの時間を調べたところ、図3に示したような結果となった。
すなわち、酢酸鉛（II）三水和物だけでフィルタを構成した場合には、シアン化水素の濃度に換算して0.5ppmの出力が192分程度で発生した。
これに対して硝酸鉛（Ｐｂ（ＮＯ3）2）を添加した本発明のフィルタでは218分程度まではシアン化水素の濃度に換算して0.5ppmの出力は発生しなかった。
このことから硝酸鉛を添加することにより寿命を14％程度延長できることが確認された。
なお、通気性基材に含浸させる薬剤の量は、硝酸鉛と酢酸鉛（II）三水和物との比率を上述の範囲に維持して適宜に調整、つまり通気性の低下や析出の発生を可及的に抑えつつ最大量とするなり、フィルタの交換期間まで硫化水素を除去できる量に調整されることは言うまでも無い。
【００１３】
ところでガス検出器やガス測定装置、ガス警報機は、定期的に既知濃度の基準ガスを用いて校正を行う必要があるが、検出対象ガスであるシアン化水素は有毒ガスであるため安易に校正ガスとして使用することができない。
【００１４】
そのため、シアン化水素の代替えガスとしてシアン化水素に比較して毒性の低いホスフィン（ＰＨ3）が用いられている。
このため、シアン化水素検出器の硫化水素除去用フィルタとしては、硫化水素を確実に吸着する一方、シアン化水素だけではなくホスフィン（ＰＨ3）も透過させるものであることが望まれる。
【００１５】
本発明のフィルタをガス検出器のガス口に装着してホスフィン（ＰＨ3）の検量線を求めたところ、図4に示したようにシアン化水素と一定の比例関係で直線性を維持していることが確認できた。
このことから硫化水素を確実に除去しつつ、ホスフィン（ＰＨ3）により校正できることが確認できた。
【図面の簡単な説明】
【００１６】
【図１】酢酸鉛に対する硝酸鉛の添加量とシアン化水素の検出感度との関係を示す線図である。
【図２】酢酸鉛の濃度とシアン化水素の検出感度との関係、及び酢酸鉛に対する硝酸鉛の添加量を変化させた場合のシアン化水素の検出感度との関係を示す線図である。
【図３】本発明と従来のフィルタの寿命を示す線図である。
【図４】本発明のフィルタによるホスフィンとシアン化水素との検量線を示す図である。
【図１】
2010142706.tif 000002
【図２】
2010142706.tif 000003
【図３】
2010142706.tif 000004
【図４】
2010142706.tif 000005
(57)【要約】【課題】火力発電所等の二酸化炭素の排出量を大幅に削減する。【解決手段】  火力発電所等の排煙脱硫装置において、亜硫酸ガスの吸収剤となる鉄鋼スラグを注入する装置を設置し、鉄鋼スラグを注入することによって、排煙脱硫装置から亜硫酸ガスと置換反応して発生する地球温暖化原因物質である二酸化炭素ガスの排出量を一部あるいは全量削減させる。【特許請求の範囲】
【請求項１】
湿式排煙脱硫装置において、亜硫酸ガス（ＳＯ２）の吸収剤として鉄鋼スラグを注入する装置を設置し、鉄鋼スラグを注入することによって、石灰石膏法湿式排煙脱硫装置から排ガス中の亜硫酸ガス（ＳＯ２）と置換反応して発生する地球温暖化原因物質とされる二酸化炭素ガス（ＣＯ２）の排出量を一部あるいは全量削減させることを特徴とする二酸化炭素発生量削減処理方法とその処理装置。
【発明の詳細な説明】
【技術分野】
【００１】  本発明は、湿式排煙脱硫装置の亜硫酸ガス（ＳＯ２）の吸収処理に関するものである。
【背景技術】
【００２】  従来、ほとんどの火力発電所では、燃料として重油あるいは石炭を燃やして電力を発生させる時、排ガス中に亜硫酸ガス（ＳＯ２）が多量に含まれる。そのまま大気に放出すると酸性ガスであるため、酸性雨の原因となる。その亜硫酸ガスを吸収処理し石膏（ＣａＳＯ４・２Ｈ２Ｏ）として固定化して、大気に放出しない石灰石膏法という排煙脱硫装置がある。
【発明が解決しようとする課題】
【００３】  そのために、次のような問題点があった。
（イ）火力発電所のボイラの燃料である重油あるいは石炭には、約２〜３ｗｔ％以下のイオウ分が含まれ、それを吸収するための石灰石膏法の脱硫装置においては、石灰石（ＣａＣＯ３）の炭酸基（ＣＯ３）と亜硫酸ガスの置換反応を起こすことによって、亜硫酸ガス（ＳＯ２）を石膏として吸収するために二酸化炭素（ＣＯ２）を発生させ、発電所から二酸化炭素ガス（ＣＯ２）を多量に発生させている。
（ロ）その火力発電所の排煙脱硫装置から多量の二酸化炭素（ＣＯ２）を発生させているという問題点を解決するためになされたものである。
【課題を解決するための手段】
【００４】  排煙脱硫装置において、亜硫酸ガス（ＳＯ２）の吸収剤として、鉄鋼スラグを使用するための注入装置を設置する。
【発明の効果】
【００５】（イ）鉄鋼スラグの主成分は、酸化カルシウム（ＣａＯ）、酸化マグネシウム（ＭｇＯ）、酸化鉄（ＦｅＯ）であり、これらは金属の酸化物であり、水と反応して強力なアルカリ剤となるため、排煙脱硫装置の亜硫酸ガス（ＳＯ２）の吸収剤として利用できる。また、これらの酸化物は、炭酸基を含まないので、脱硫装置から、二酸化炭素（ＣＯ２）を発生しない。そのため、火力発電所から発生する二酸化炭素（ＣＯ２）の排出量を大幅に削減することができる。
（ロ）従来の亜硫酸ガスの吸収剤として使用している炭酸カルシウム（ＣａＣＯ３）より、鉄鋼スラグは吸収能力が１．３倍以上優れているために、吸収塔において亜硫酸ガス（ＳＯ２）吸収で循環している液／ガス比を３０％程度小さくできるので、排煙脱硫装置吸収塔のスラリー液循環ポンプの動力費用を３０％程度削減できる。
【発明を実施するための最良の形態】
【００６】  以下、本発明の実施の形態について説明する。鉄鋼スラグに含まれる酸化カルシウム（ＣａＯ）、酸化マグネシウム（ＭｇＯ）、酸化鉄（ＦｅＯ）は、排煙脱硫装置において、それぞれ亜硫酸ガス（ＳＯ２）を吸収し、排ガスおよび空気によって酸化されて、それぞれ、石膏（ＣａＳＯ４・２Ｈ２Ｏ）、硫酸マグネシウム（ＭｇＳＯ４）、硫酸鉄（ＦｅＳＯ４）に変化し、石膏（ＣａＳＯ４・２Ｈ２Ｏ）は固体として固液分離して排出され、硫酸マグネシウム（ＭｇＳＯ４）と硫酸鉄（ＦｅＳＯ４）は液体として、排出される。
(57)【要約】      （修正有）【課題】バーベキューや焼肉などをするとき、熱や火や油はねでトングを掴む手がとても熱かったり、また焼き網の上の肉から油脂が炭火に落ちて火がつき手の毛を焦がすことがあった。時には焼き網などにトングを掴む手が触れて火傷をすることがあった。トングに装着し熱や火や油はねから手を有効に保護するトング保護カバーを提供する。【解決手段】前面は側面より上側に大きく形成した可撓性と耐熱性を有する軽量なトレー形状の本体１の前面にトング中程の柄部を通す開穴を２箇所３，４と後面にトング支点側の柄部を通す開穴を２箇所５，６設けるとともに、後面の上辺にはトングの支点部を後方から押える折り曲げ可能なパネル２を設ける。【選択図】図１
2010142539.tif 000002
【特許請求の範囲】
【請求項１】
前面を側面より上側に大きく形成したトレー本体の前面に開穴を２箇所と後面に開穴を２箇所設けるとともに、後面の上辺に折り曲げ可能なパネルを設け、トングに装着して使用することを特徴とするトング保護カバー。
【発明の詳細な説明】
【技術分野】
【０００１】
本発明は、調理用材料などを挟むためのトングの柄部に装着し、加熱調理中の熱などから手を保護するトング保護カバーに関するものである。
【背景技術】
【０００２】
従来、バーベキューや焼肉などの加熱調理でトングを使う場合、トングを素手で使うか、軍手もしくは作業用手袋をしていた。
なお、加熱調理の際、油や水分が柄の部分を伝って手に流れたりすることを防止するトング（特許文献１）が実用新案登録されている。
【特許文献１】実用新案登録第３０７１４７５号公報
【発明の開示】
【発明が解決しようとする課題】
【０００３】
バーベキューや焼肉などをするとき、トングを掴む手が熱や火や油はねでとても熱かったり、焼き網の上の肉から油脂が炭火に落ちて火がつき手の毛を焦がすことがあった。時にはトングを掴む手が焼き網などに触れて火傷をすることがあった。
本発明は、以上の問題点を解決するためになされたものである。
【課題を解決するための手段】
【０００４】
前面を側面より上側に大きく形成した可撓性と耐熱性を有する軽量なトレー形状の本体の前面にトング中程の柄部を通す開穴を２箇所と後面にトング支点側の柄部を通す開穴を２箇所設けるとともに、後面の上辺にはトングの支点部を後方から押える折り曲げ可能なパネルを設けたことを特徴とする。なお、本発明は既存のトングに装着して使用する。
【発明の効果】
【０００５】
本発明をトングに装着して使用することによって、バーベキューなどのときの熱や火や油はねから手を保護することができ、また火傷などを有効に防止することができる。
また、本発明はバーベキューだけでなく炭火やガスを使った焼肉時やその他のトングを用いる加熱調理にも有効である。
【発明を実施するための最良の形態】
【０００６】
以下、本発明の実施の形態を説明する。
【実施例１】
【０００７】
（イ）可撓性と耐熱性を有する軽量なトレー１の前面１１に前穴ａ３と前穴ｂ４を設ける。
（ロ）トレー１の後面１５に後穴ａ５と後穴ｂ６を設ける。
（ハ）トレー１の前面１１は側面１６より上側に大きく形成する。
（ニ）トレー１の後面１５の上辺には曲げ部ａ７と曲げ部ｂ８の折り目の付いたパネル２を設ける。
（ホ）側面１６には折り目９を設ける。
本発明は以上のような構造である。
本発明を使用するときは、トングの先端が後穴ａ５と後穴ｂ６の幅になるぐらいにトングの柄を握り先端を狭め、トングの先端を後方側から後穴ａ５と後穴ｂ６に同時にそれぞれ挿入し、そのまま挿入したところでトング先端を前穴ａ３と前穴ｂ４に同時にそれぞれ挿入し、トングの支点部の内側が支柱１０に接触するまで挿入する。図２に示すように可撓性を利用してパネル２を下側に折り曲げ、トングの支点部を後方から押える。パネル２と支柱１０がトングの支点部を挟み、且つ軽量な素材を使うことにより、本発明はトングから抜け落ちることがない。パネル２を大きくし曲げ部ａ７と曲げ部ｂ８の折り目を長くすることで折り曲げたときの形状を強く維持できる。また、前穴ａ３と前穴ｂ４の間隔が狭いため、トングの挟む動作を妨げない。なお、トング保護カバーは軽量素材のためトングを違和感無く使える。
図３が本発明の使用状態であり、手でトングの柄を掴み加熱調理中の食材を挟むことができ、トレー１の耐熱素材のためバーベキューなどのときの熱や火や油はねから手を有効に保護でき、火傷なども有効に防止することができる。加熱調理では下側からの熱や火や油はねがほとんどであるため、トレー１は下側を有効に保護している。前面１１を大きく形成することで加熱調理中の食材を挟む前方にも防熱効果がある。
【０００８】
パネル２には曲げ部ａ７と曲げ部ｂ８の２箇所の折り曲げ部を設けており、トングの支点部の形状が弾力性挟み形状では曲げ部ａ７のみを折り曲げ（図４（１））、蝶つがい挟み形状では曲げ部ａ７と曲げ部ｂ８を折り曲げる（図４（２））ことにより、それぞれの支点形状のトングに対応できる。
【０００９】
図５に示すようにトレー１の側面１６には折り目９を設け、可撓性を利用してトレー１の両側面１６を内側に折り曲げながら前面１１と後面１５も内側に折り曲げることによって、トング保護カバーを折り畳むことができ収納を容易にする。
【実施例２】
【００１０】
本発明の素材がアルミ箔の場合、トレー１は図６（１）に示すようにやや上部の方が広がった四角錐台形状にすることにより、プレス成形を容易にする本発明の効果を果たすトング保護カバーとなる。
また、図６（２）に示すようにトレー１を楕円錐台形状にしても、プレス成形を容易にする本発明の効果を果たすトング保護カバーとなる。
【図面の簡単な説明】
【００１１】
【図１】本発明の実施例１の斜視図
【図２】本発明をトングに装着した状態を示す斜視図
【図３】本発明の使用状態を示す斜視図
【図４】（１）本発明の弾力性挟み式トング支点部の固定状態を示す断面図（２）本発明の蝶つがい挟み式トング支点部の固定状態を示す断面図
【図５】本発明の実施例１の折り畳み状態を示す斜視図
【図６】（１）本発明の実施例２のトレー１が四角錐台形状のときの斜視図（２）本発明の実施例２のトレー１が楕円錐台形状のときの斜視図
【符号の説明】
【００１２】
１  トレー
２  パネル
３  前穴ａ
４  前穴ｂ
５  後穴ａ
６  後穴ｂ
７  曲げ部ａ
８  曲げ部ｂ
９  折り目
１０  支柱
１１  前面
１２  弾力性挟み式トング
１３  蝶つがい挟み式トング
１４  トング
１５  後面
１６  側面
【図１】
2010142539.tif 000003
【図２】
2010142539.tif 000004
【図３】
2010142539.tif 000005
【図４】
2010142539.tif 000006
【図５】
2010142539.tif 000007
【図６】
2010142539.tif 000008
(57)【要約】【課題】  効率よく網戸などの汚れを除去できる掃除器具の提供。【解決手段】  面ファスナーのフック部分を有する汚れ除去部材が、基体に取り付けられた掃除器具。【選択図】  図１
2010142564.tif 000002
【特許請求の範囲】
【請求項１】
面ファスナーのフック部分を有する汚れ除去部材が、基体に取り付けられた掃除器具。
【請求項２】
基体がスポンジである、請求項１記載の掃除器具。
【発明の詳細な説明】
【技術分野】
【０００１】
本発明は新規な掃除器具に関し、特には網戸などの掃除に好適な掃除器具に関する。
【背景技術】
【０００２】
網戸の掃除器具として従来数多くのものが提案されてきたが、簡単に十分な効果が得られる物がなかった。
【発明の開示】
【発明が解決しようとする課題】
【０００３】
本発明は、特に網戸の掃除に好適に使用できる新規な掃除用具を提供するものである。
【課題を解決するための手段】
【０００４】
本発明は、面ファスナーのフック部分を有する汚れ除去部材が、掃除器具基体に取り付けられた掃除器具を提供する。
面ファスナーとは、フックアンドループファスナーをいい、微少に形成されたフック部分とファスナー部分とが引っかかることにより両者が結合・固定されるものをいう。たとえばベルクロ社から登録商標ベロクルの下に販売される物や、株式会社クラレから登録商標マジックテープ等の下に販売される物があげられる。本発明においては、該面ファスナーのうち、フック部分を有する部材が汚れ除去部材として使用される。
フック部分としては、一般的なフック状の物の他、株式会社クラレから登録商標マジタッチの下に販売されるようなマッシュルーム形状のフック、登録商標マジロックの下に販売されるような矢尻形のフック、およびノコギリ歯状のシャークバイトタイプのものも使用できる。また株式会社クラレから登録商標フリーマジックの下で販売されるようなフック部分とループ部分とが同一面上に設けられているものも使用できる。
掃除器具の基体は、その表面の一部に汚れ除去部材を保持できることを条件として、任意の材質および形状であることができる。たとえば板状ないしブロック状のプラスチックまたはスポンジを使用することができる。またローラーの表面に汚れ除去部材を貼り付けることもできる。かかる場合には、ローラーは回転可能にローラー保持部材に取り付けられ、使用されることができる。
【０００５】
汚れ除去部材と掃除器具基体とは接着剤で接着することができる。また熱などにより融着することもできる。さらに基材に切れ込みなどを設け、これを利用して基体と汚れ除去部材を物理的に結合することもできる。また汚れ除去部材は基体に着脱自在に取り付けることもできる。
汚れ除去部材は掃除器具基体の表面の全面または一部にのみ設けることができる。たとえばスポンジを基体に使用した場合には、面ファスナーのフック部分により汚れを物理的に掻き出すと共に洗剤により汚れを化学的に除去するができるので、より一層優れた効果を得ることができる。
【０００６】
本発明の掃除器具は、網戸の掃除用具として好適に使用されるが、もちろんその他の汚れが付着したすべての微小空間の掃除に好適に使用できる。
【発明の効果】
【０００７】
本発明により、効率よく網戸などの汚れを除去できる掃除器具が得られる。
【発明を実施するための最良の形態】
【０００８】
図１に本発明の好適な態様を示す。この態様では、基体１の表面に汚れ除去部材２が取り付けられる。図２に本発明のさらなる好適な態様を示す。この態様では、基体１の側面に切れ込み部３が設けられ、これを利用して汚れ除去部材２が取り付けられる。図３は、基体表面の一部にのみ汚れ除去部材が取り付けられた態様を示す。
【図面の簡単な説明】
【０００９】
【図１】図１は本発明の掃除器具の好適な態様を示す図である。
【図２】図２は本発明の掃除器具の好適な態様を示す図である。
【図３】図３は本発明の掃除器具の好適な態様を示す図である。
【符号の説明】
【００１０】
１：基体
２：汚れ除去部材
３：切れ込み部
【図１】
2010142564.tif 000003
【図２】
2010142564.tif 000004
【図３】
2010142564.tif 000005